(57)【要約】【課題】間接気化冷却機能を備えると共に、２４時間換気機能を備えて、住宅への設置が可能な換気装置を提供することを目的とする。【解決手段】換気装置１Ｄは、暖房運転時は、間接気化冷却ユニット４におけるワーキングエアＷＡの供給を停止する。外気吸込口５から吸気された外気ＯＡは、熱交換ユニット３１によって、還気吸込口７から吸気された還気ＲＡとの間で熱交換される。冬場は還気ＲＡの温度は外気ＯＡの温度よりも高いので、外気ＯＡは温度が上がる。そして、間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。【選択図】        図９
2006105426.tif 000002
【特許請求の範囲】
【請求項１】
外気吸込口から給気吹出口へのエアの流れを生成する給気ファンと、
還気吸込口から排気吹出口へのエアの流れを生成する排気ファンと、
隔壁で仕切られた第１の流路と第２の流路に供給されたエアの間で熱交換が行われる熱交換ユニットと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記外気吸込口から前記熱交換ユニットの前記第１の流路および前記間接気化冷却ユニットの前記プロダクトエア流路を通り、前記給気吹出口へ連通した給気流路と、
前記還気吸込口から前記熱交換ユニットの前記第２の流路を通り、前記排気吹出口へ連通した第１の排気流路と、
前記熱交換ユニットの下流側で前記給気流路から分岐するか、または、前記熱交換ユニットの上流側で前記第１の排気流路から分岐して、前記間接気化冷却ユニットの前記ワーキングエア流路を通り、前記排気吹出口へ連通した第２の排気流路と、
前記間接気化冷却ユニットの前記ワーキングエア流路に供給されるワーキングエアもしくは前記プロダクトエア流路に供給されるプロダクトエアの少なくとも一方の流量を調整する流量制御手段を備え、
前記間接気化冷却ユニットへの前記プロダクトエアもしくは前記ワーキングエアの供給の有無と、前記間接気化冷却ユニットへの前記給排水装置による水の供給の有無で、前記給気吹出口からの給気温度を制御する
ことを特徴とする換気装置。
【請求項２】
前記熱交換ユニットは、前記第１の流路と前記第２の流路に供給されたエアの間で顕熱、または顕熱と潜熱の交換が行われる熱交換エレメントを備えた
ことを特徴とする請求項１記載の換気装置。
【請求項３】
前記間接気化冷却ユニットの下流で前記第２の排気流路から分岐し、前記間接気化冷却ユニットの下流で前記給気流路と連通した加湿給気流路を備え、
前記間接気化冷却ユニットへ供給されるワーキングエアの流路を前記第２の排気流路から前記加湿給気流路へ切り換えて、前記給気吹出口からの給気温度を制御する
ことを特徴とする請求項１または２記載の換気装置。
【請求項４】
外気吸込口から給気吹出口へのエアの流れを生成する給気ファンと、
還気吸込口から排気吹出口へのエアの流れを生成する排気ファンと、
隔壁で仕切られた除湿流路および再生流路に跨って回転駆動される除湿ロータを有する除湿ユニットと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記外気吸込口から前記除湿ユニットの前記除湿流路及び前記間接気化冷却ユニットの前記プロダクトエア流路を通り、前記給気吹出口へ連通した給気流路と、
前記還気吸込口から前記除湿ユニットの前記再生流路を通り、前記排気吹出口へ連通した第１の排気流路と、
前記除湿ユニットの下流側で前記給気流路から分岐するか、または、前記除湿ユニットの上流側で前記第１の排気流路から分岐して、前記間接気化冷却ユニットの前記ワーキングエア流路を通り、前記排気吹出口へ連通した第２の排気流路と、
前記間接気化冷却ユニットの前記ワーキングエア流路に供給されるワーキングエアもしくは前記プロダクトエア流路に供給されるプロダクトエアの少なくとも一方の流量を調整する流量制御手段を備え、
前記間接気化冷却ユニットへの前記プロダクトエアもしくは前記ワーキングエアの供給の有無と、前記間接気化冷却ユニットへの前記給排水装置による水の供給の有無で、前記給気吹出口からの給気温度を制御する
ことを特徴とする換気装置。
【請求項５】
前記間接気化冷却ユニットの下流で前記第２の排気流路から分岐し、前記間接気化冷却ユニットの下流で前記給気流路と連通した加湿給気流路を備え、
前記間接気化冷却ユニットへ供給されるワーキングエアの流路を前記第２の排気流路から前記加湿給気流路へ切り換えて、前記給気吹出口からの給気温度を制御する
ことを特徴とする請求項４記載の換気装置。
【請求項６】
前記給気流路を前記除湿ユニットの前記再生流路と連通させ、前記第１の排気流路を前記除湿ユニットの前記除湿流路と連通させて、前記除湿ロータに還気の水分を吸着させ、前記給気流路を通るエアを加湿する
ことを特徴とする請求項４または５記載の換気装置。
【請求項７】
前記第２の排気流路を前記除湿ユニットの前記除湿流路と連通させ、前記除湿ロータにワーキングエアの水分を吸着させる
ことを特徴とする請求項６記載の換気装置。
【請求項８】
所定時間で建物内の空気の入れ替えができるように、前記還気吸込口からの還気流量と前記給気吹出口からの給気流量を調整する
ことを特徴とする請求項１〜７に何れか記載の換気装置。
【請求項９】
請求項１〜８に何れか記載の換気装置を備えた
ことを特徴とする建物。
【発明の詳細な説明】
【技術分野】
【０００１】
本発明は、住宅に設置され、室内と屋外で換気を行う換気装置及びこの換気装置を備えた建物に関し、特に、水の気化熱を利用してエアを冷却する間接気化冷却機能を備えた換気装置及び建物に関する。
【背景技術】
【０００２】
従来より、建物を冷房する空調装置が提案されているが、水の気化熱を利用してエアを冷却する間接気化冷却装置を備えた空調装置が提案されている（例えば、特許文献１参照）。間接気化冷却装置は、隔壁で仕切られた流路間で顕熱（温度）交換を行う構成で、一方の流路で水の気化熱を利用してエアを冷却すると共に、他方の流路との間で冷熱の授受を行い、他方の流路を通るエアを冷却して、室内等に供給するものである。
【０００３】
【特許文献１】特開２００４−１９０９０７号公報
【発明の開示】
【発明が解決しようとする課題】
【０００４】
従来の間接気化冷却装置を備えた空調装置は、オフィスや店舗等に設置されており、住宅への設置は考慮されていない。間接気化冷却装置を備えた空調装置を住宅に設置する場合、温度制御が重要となるが、従来装置では、住宅での使用に要求される温度制御はできないという問題がある。
【０００５】
また、一般的な空調装置を含めて、室内と屋外で換気を行う機能を備えた装置は少ない。このため、換気を行いながら冷房を行うためには、換気装置と空調装置の双方を備える必要があるが、設置のスペースを確保するのが難しく、また、コストも高いという問題がある。
【０００６】
更に、間接気化冷却装置を備えた従来の空調装置では、暖房機能は備えられていないので、更に暖房装置の設置も必要となる。
【０００７】
また、従来の暖房装置は、電力消費量が多くランニングコストが高く、エネルギー負荷が大きいという問題がある。
【０００８】
更に、換気装置と暖房装置を併用すると、温められた空気が換気装置で排出されてしまうので室温が低下するという問題があり、温度低下を抑えるためには、エネルギー消費が大きくなるという問題がある。
【０００９】
本発明は、このような課題を解決するためになされたもので、間接気化冷却機能を備え、かつ暖房機能を備えた換気装置及びこのような換気装置を備えた建物を提供することを目的とする。
【課題を解決するための手段】
【００１０】
上述した課題を解決するため、請求項１の発明は、外気吸込口から給気吹出口へのエアの流れを生成する給気ファンと、還気吸込口から排気吹出口へのエアの流れを生成する排気ファンと、隔壁で仕切られた第１の流路と第２の流路に供給されたエアの間で熱交換が行われる熱交換ユニットと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、外気吸込口から熱交換ユニットの第１の流路および間接気化冷却ユニットのプロダクトエア流路を通り、給気吹出口へ連通した給気流路と、還気吸込口から熱交換ユニットの第２の流路を通り、排気吹出口へ連通した第１の排気流路と、熱交換ユニットの下流側で給気流路から分岐するか、または、熱交換ユニットの上流側で第１の排気流路から分岐して、間接気化冷却ユニットのワーキングエア流路を通り、排気吹出口へ連通した第２の排気流路と、
間接気化冷却ユニットのワーキングエア流路に供給されるワーキングエアもしくはプロダクトエア流路に供給されるプロダクトエアの少なくとも一方の流量を調整する流量制御手段を備え、
間接気化冷却ユニットへのプロダクトエアもしくはワーキングエアの供給の有無と、間接気化冷却ユニットへの給排水装置による水の供給の有無で、給気吹出口からの給気温度を制御することを特徴とする。
【００１１】
請求項１の発明では、間接気化冷却ユニットへのプロダクトエアもしくはワーキングエアの供給の有無と、間接気化冷却ユニットへの水の供給の有無を制御することで、外気の温度が低く、室内の温度が高い冬場は、熱交換ユニットで加温された外気が間接気化冷却ユニットで冷却されることなく室内に給気される。
【００１２】
請求項４の発明は、外気吸込口から給気吹出口へのエアの流れを生成する給気ファンと、還気吸込口から排気吹出口へのエアの流れを生成する排気ファンと、隔壁で仕切られた除湿流路および再生流路に跨って回転駆動される除湿ロータを有する除湿ユニットと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、外気吸込口から除湿ユニットの除湿流路及び間接気化冷却ユニットのプロダクトエア流路を通り、給気吹出口へ連通した給気流路と、還気吸込口から除湿ユニットの再生流路を通り、排気吹出口へ連通した第１の排気流路と、除湿ユニットの下流側で給気流路から分岐するか、または、除湿ユニットの上流側で第１の排気流路から分岐して、間接気化冷却ユニットのワーキングエア流路を通り、排気吹出口へ連通した第２の排気流路と、間接気化冷却ユニットのワーキングエア流路に供給されるワーキングエアもしくはプロダクトエア流路に供給されるプロダクトエアの少なくとも一方の流量を調整する流量制御手段を備え、間接気化冷却ユニットへのプロダクトエアもしくはワーキングエアの供給の有無と、間接気化冷却ユニットへの給排水装置による水の供給の有無で、給気吹出口からの給気温度を制御することを特徴とする。
【００１３】
請求項４の発明では、間接気化冷却ユニットへのプロダクトエアもしくはワーキングエアの供給の有無と、間接気化冷却ユニットへの水の供給の有無を制御することで、外気の温度が低く、室内の温度が高い冬場は、除湿ユニットで加湿及び加温された外気が間接気化冷却ユニットで冷却されることなく室内に給気される。
【００１４】
請求項９の発明は、このような換気装置を備えたことを特徴とする建物である。
【発明の効果】
【００１５】
本発明の換気装置によれば、室内のエアを吸い込んで排気する機能を備えることで、換気を行いつつ冷房が行えると共に、プロダクトエアあるいはワーキングエアの供給の有無等を切り換えることで、加温された外気、更には加温及び加湿された外気を給気することができる。
【００１６】
これにより、間接気化冷却ユニットを備えて暖房機能と換気機能を有する換気装置を、暖房機としても使用可能となる。そして、間接気化冷却ユニット等を利用することで加湿ができるので、冬場の室内の乾燥を防ぐことができる。
【００１７】
また、還気流量と給気流量を調整することで、所定時間で換気対象となっている建物内の空気の入れ替えを行えるので、建築基準法で求められる換気能力を備えることができる。
【００１８】
従って、住宅への設置に要求される性能を有する間接気化冷却機能と、２４時間換気機能を備えた換気装置を、小型、かつ安価に提供できる。
【００１９】
そして、このような換気装置を備えた建物では、外気と建物内の空気の換気を行いながら空調が行われるので、快適な住空間を提供できると共に、水を利用して空調を行うことで、消費電力を抑えることができる。
【発明を実施するための最良の形態】
【００２０】
以下、図面を参照して本発明の換気装置及び建物の実施の形態について説明する。
【００２１】
＜間接気化冷却ユニットを備えた換気装置１Ａの基本構成＞
図１は間接気化冷却ユニットを備えた換気装置１Ａの一例を示す構成図である。換気装置１Ａは、給気ファン２と排気ファン３と間接気化冷却ユニット４を備える。
【００２２】
また、換気装置１Ａは、屋外からの外気ＯＡ（OutsideAir）を吸い込む外気吸込口５と、給気ＳＡ（SupplyAir）を室内に吹き出す給気吹出口６を備える。更に、換気装置１Ａは、室内からの還気ＲＡ（ReturnAir）を吸い込む還気吸込口７と、排気ＥＡ（ExhaustAir）を屋外に吹き出す排気吹出口８を備える。なお、各吹出口及び各吸込口は、例えば図示しないダクト等を介して室内及び屋外と接続される。
【００２３】
給気ファン２及び排気ファン３は例えばシロッコファンで、給気ファン２は、外気吸込口５から給気吹出口６へ連通した給気流路９Ａにおいて、給気吹出口６へ向かうエアの流れを生成する。また、排気ファン３は、還気吸込口７から排気吹出口８へ連通した排気流路１０Ａにおいて、排気吹出口８へ向かうエアの流れを生成する。
【００２４】
間接気化冷却ユニット４は、間接気化エレメント１１と、給排水装置１２とドレンパン１３等を備える。間接気化エレメント１１は、水の気化熱で冷却されるワーキングエアＷＡが通るワーキングエア流路１１ａと、ワーキングエアＷＡとの間で顕熱（温度）交換が行われるプロダクトエアＰＡが通るプロダクトエア流路１１ｂを備える。なお、間接気化冷却ユニット４を断熱材で囲う構成としても良い。
【００２５】
給排水装置１２は、例えば電磁弁で構成される給水バルブ１２ａを備えて、間接気化エレメント１１に対する給水を行う。ドレンパン１３は、給排水装置１２で間接気化エレメント１１に供給された水を受ける。なお、給排水装置１２は、例えば電磁弁で構成される排水バルブ１２ｂを備えて、ドレンパン１３の水を排水できるようにしても良い。
【００２６】
給排水装置１２は、例えば、間接気化エレメント１１の上側から水を滴下または散水し、ドレンパン１３で受ける構成である。
【００２７】
給気流路９Ａは、外気吸込口５から給気ファン２及び間接気化エレメント１１のプロダクトエア流路１１ｂを通り、給気吹出口６へ連通する。排気流路１０Ａは、還気吸込口７から間接気化エレメント１１のワーキングエア流路１１ａ及び排気ファン３を通り、排気吹出口８へ連通する。なお、間接気化冷却エレメント１１の前の給気流路９Ａに、エアを攪拌する拡散板を備えても良い。
【００２８】
給気流路９Ａは、例えば間接気化冷却ユニット４の上流側に給気流量調整ダンパ１４を備える。給気流量調整ダンパ１４は流量制御手段を構成し、開閉によりエアの流量を調整するダンパと、ダンパを駆動するモータを備え、給気流量調整ダンパ１４の開度を調整することで、給気流路９Ａを流れるエアの流量が調整される。これにより、間接気化冷却ユニット４を構成する間接気化エレメント１１のプロダクトエア流路１１ｂを流れるプロダクトエアＰＡの流量が調整される。
【００２９】
排気流路１０Ａは、例えば間接気化冷却ユニット４の上流側に排気流量調整ダンパ１５を備える。排気流量調整ダンパ１５は流量制御手段を構成し、開閉によりエアの流量を調整するダンパと、ダンパを駆動するモータを備え、排気流量調整ダンパ１５の開度を調整することで、排気流路１０Ａを流れるエアの流量が調整される。これにより、間接気化冷却ユニット４を構成する間接気化エレメント１１のワーキングエア流路１１ａを流れるワーキングエアＷＡの流量が調整される。
【００３０】
また、給気流路９Ａは、例えば間接気化冷却ユニット４の上流側に空気清浄装置として空気清浄フィルタ１６を備える。給気流路９Ａに空気清浄フィルタ１６を備えることで、外気ＯＡから粉塵等が除去された給気ＳＡが室内に供給される。また、空気清浄フィルタ１６を間接気化冷却ユニット４の上流側に配置することで、間接気化エレメント１１への粉塵等の侵入を防ぐ。
【００３１】
更に、給気流路９Ａは、給気吹出口６に温度センサ１７を備えることで、給気温度が検出される。なお、給気ファン２及び排気ファン３は間接気化冷却ユニット４の下流側に備えても良い。
【００３２】
＜間接気化エレメントの構成＞
図２は間接気化エレメント１１の概要を示す説明図で、図２（ａ）は間接気化エレメント１１の全体構成、図２（ｂ）は間接気化エレメント１１の要部構成、図２（ｃ）は冷却原理を示す。
【００３３】
間接気化エレメント１１は、図２（ｂ）に示すように、仕切り２１ａで仕切られた複数の第１の流路２１ｂを有するドライセル２１と、仕切り２２ａで仕切られた複数の第２の流路２２ｂを有するウェットセル２２と、ドライセル２１とウェットセル２２を仕切る隔壁２３とを備える。
【００３４】
ドライセル２１とウェットセル２２は、第１の流路２１ｂと第２の流路２２ｂが直交する向きで、隔壁２３を挟んで積層される。
【００３５】
隔壁２３は、図２（ｃ）に示すように、ポリエチレンフィルム等で形成された防湿フィルム２３ａと、パルプ等で形成された湿潤層２３ｂを備え、防湿フィルム２３ａがドライセル２１に面し、湿潤層２３ｂがウェットセル２２に面する。
【００３６】
また、隔壁２３は、図２（ｂ）に示すように、一部の第１の流路２１ｂと第２の流路２２ｂを連通させる通気孔２３ｃが形成される。更に、図２（ａ）に示すように、通気孔２３ｃが形成された第１の流路２１ｂの出口には閉塞部２４が形成され、エアが通り抜けないように構成される。
【００３７】
これにより、間接気化エレメント１１において、ワーキングエア流路１１ａは、通気孔２３ｃが形成された第１の流路２１ｂの入口から、第１の流路２１ｂ、通気孔２３ｃ及び第２の流路２２ｂを通り、第２の流路２２ｂの出口へ連通する。また、プロダクトエア流路１１ｂは、通気孔２３ｃが形成されていない第１の流路２１ｂの入口から、第１の流路２１ｂを通りこの第１の流路２１ｂの出口へ連通する。
【００３８】
図２（ｃ）を参照に間接気化エレメント１１による冷却原理の概要を説明する。ここで、ワーキングエアＷＡとプロダクトエアＰＡは直交する向きに流れるが、図２（ｃ）ではワーキングエアＷＡとプロダクトエアＰＡの流れる向きを平行に図示している。
【００３９】
ワーキングエア流路１１ａに面した湿潤層２３ｂは、図１に示す給排水装置１２によって水が供給される。これにより、ワーキングエア流路１１ａを通るワーキングエアＷＡと湿潤層２３ｂの温度差によって水分が気化し、ワーキングエアＷＡが冷却される。
【００４０】
ワーキングエアＷＡが冷却されると、ワーキングエア流路１１ａと隔壁２３で仕切られたプロダクトエア流路１１ｂを通るプロダクトエアＰＡは、隔壁２３を通して冷熱を受けて冷却される。
【００４１】
ここで、隔壁２３を構成する防湿フィルム２３ａは水分を通さないことから、プロダクトエアＰＡはプロダクトエア流路１１ｂを通過しても絶対湿度が変化しない。なお、ワーキングエアＷＡは、ワーキングエア流路１１ａを通過すると高湿度になる。
【００４２】
一例として、プロダクトエアＰＡ及びワーキングエアＷＡの入力温度が３０℃、絶対湿度が１０ｇ／ｋｇ（ＤＡ：ドライエア）、相対湿度が約４０％ＲＨとした場合、プロダクトエアＰＡの出口温度は２０℃と下がる。なお相対湿度は温度が下がるため約７０％ＲＨと上がるが、絶対湿度は１０ｇ／ｋｇ（ＤＡ）であり、変化しない。
【００４３】
また、ワーキングエアＷＡの出口温度は２３℃と下がる。但し、絶対湿度は１６ｇ／ｋｇ（ＤＡ）と上がる。
【００４４】
＜間接気化エレメントの冷却原理＞
間接気化エレメント１１の冷却原理は、プロダクトエアＰＡの温度Ｔｄ、絶対湿度Ｘｄ、風量Ｇｄ、ワーキングエアＷＡの温度Ｔｗ、絶対湿度Ｘｗ、風量Ｇｗ、その他パラメータを用いて以下の様に表せる。
【００４５】
（１）エネルギー保存則より
【００４６】
【数１】
2006105426.tif 000003
【００４７】
（２）質量保存則より
【００４８】
【数２】
2006105426.tif 000004
【００４９】
（３）ワーキングエアＷＡの流量とプロダクトエアＰＡの出口温度の関係
上述した式より、間接気化エレメント１１におけるワーキングエアＷＡの流量とプロダクトエアＰＡの出口温度の関係を求め、図３のグラフに示す。
【００５０】
図３はワーキングエアＷＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ：ドライエア）、入口温度３０℃固定、プロダクトエアＰＡの流量は５０ｍ3／ｈｒ固定とする。
【００５１】
図３より、ワーキングエアＷＡの流量が高い程、プロダクトエアＰＡの出口温度が低下していることが判る。なお、間接気化エレメント１１で冷却されたエアには温度分布があるが、各例の温度データは最低温度で記載している。
【００５２】
（４）プロダクトエアＰＡの流量とプロダクトエアＰＡの出口温度の関係
上述した式より、間接気化エレメント１１におけるプロダクトエアＰＡの流量とプロダクトエアＰＡの出口温度の関係を求め、図４のグラフに示す。
【００５３】
図４はプロダクトエアＰＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、入口温度３０℃固定、ワーキングエアＷＡの流量は５０ｍ3／ｈｒ固定とする。
【００５４】
図４より、プロダクトエアＰＡの流量が低い程、プロダクトエアＰＡの出口温度が低下していることが判る。
【００５５】
（５）ワーキングエアＷＡ及びプロダクトエアＰＡの入口温度とプロダクトエアＰＡの出口温度の関係
上述した式より、間接気化エレメント１１におけるワーキングエアＷＡ及びプロダクトエアＰＡの入口温度とプロダクトエアＰＡの出口温度の関係を求め、図５のグラフに示す。
【００５６】
図５はワーキングエアＷＡ及びプロダクトエアＰＡの入口温度とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００５７】
図５より、ワーキングエアＷＡ及びプロダクトエアＰＡの入口温度が高い程、プロダクトエアＰＡの出口温度が上昇していることが判る。
【００５８】
（６）ワーキングエアＷＡ及びプロダクトエアＰＡの入口温度と水の消費量の関係
上述した式より、間接気化エレメント１１におけるワーキングエアＷＡ及びプロダクトエアＰＡの入口温度と水の消費量の関係を求め、図６のグラフに示す。
【００５９】
図６はワーキングエアＷＡ及びプロダクトエアＰＡの入口温度と水の消費量の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００６０】
図６より、ワーキングエアＷＡ及びプロダクトエアＰＡの入口温度が高い程、冷却に使用する水の消費量が多くなることが判る。
【００６１】
これにより、図５及び図６から、ワーキングエアＷＡ及びプロダクトエアＰＡの入口温度を下げれば、プロダクトエアＰＡの出口温度が下がり、また、水の消費量が減ることが判る。
【００６２】
（７）ワーキングエアＷＡ及びプロダクトエアＰＡの入口湿度とプロダクトエアＰＡの出口温度の関係
上述した式より、間接気化エレメント１１におけるワーキングエアＷＡ及びプロダクトエアＰＡの入口湿度とプロダクトエアＰＡの出口温度の関係を求め、図７のグラフに示す。
【００６３】
図７はワーキングエアＷＡ及びプロダクトエアＰＡの入口湿度とプロダクトエアＰＡの出口温度の関係を示すグラフで、間接気化エレメント１１に入力されるワーキングエアＷＡとプロダクトエアＰＡの条件は、温度３０℃、流量は５０ｍ3／ｈｒ固定とする。
【００６４】
図７より、ワーキングエアＷＡ及びプロダクトエアＰＡの入口湿度が低い程、プロダクトエアＰＡの出口温度が低下していることが判る。
【００６５】
以上のことから、間接気化エレメント１１では、ワーキングエアＷＡの流量、プロダクトエアＰＡの流量、ワーキングエアＷＡの入口温度、プロダクトエアＰＡの入口温度、ワーキングエアＷＡの入口湿度、プロダクトエアＰＡの入口湿度等を制御することで、プロダクトエアＰＡの出口温度を制御できることが判る。
【００６６】
＜間接気化冷却ユニットを備えた換気装置１Ａの動作＞
次に、図１等を参照に換気装置１Ａの動作について説明する。換気装置１Ａは、給気ファン２が駆動されると、給気流路９Ａにおいて給気吹出口６へ向かうエアの流れが生成される。これにより、外気ＯＡが外気吸込口５から吸い込まれ、空気清浄フィルタ１６及び間接気化エレメント１１のプロダクトエア流路１１ｂを通り、給気吹出口６から給気ＳＡとして室内に供給される。
【００６７】
また、排気ファン３が駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【００６８】
従って、換気装置１Ａでは、外気ＯＡがプロダクトエアＰＡとなり、還気ＲＡがワーキングエアＷＡとなる。
【００６９】
図２で説明したように、間接気化エレメント１１では、ワーキングエア流路１１ａを通るワーキングエアＷＡが水の気化熱で冷却され、ワーキングエアＷＡが冷却されると、プロダクトエア流路１１ｂを通るプロダクトエアＰＡがワーキングエアＷＡの冷熱を受けて冷却される。
【００７０】
そして、ワーキングエア流路１１ａとプロダクトエア流路１１ｂの間では湿度の移動は起こらないので、間接気化エレメント１１のプロダクトエア流路１１ｂを通った外気ＯＡは、湿度（絶対湿度）は変化せずに温度は下がる。
【００７１】
よって、間接気化エレメント１１のプロダクトエア流路１１ｂを通過した外気ＯＡを、給気吹出口６から給気ＳＡとして吹き出すことで、室内の温度を下げることができる。
【００７２】
なお、間接気化エレメント１１のワーキングエア流路１１ａを通った還気ＲＡは高湿度のエアとなるので、排気吹出口８から排気ＥＡとして排出する。
【００７３】
換気装置１Ａでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【００７４】
これにより、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【００７５】
すなわち、排気流量調整ダンパ１５の開度を制御して、ワーキングエアＷＡの流量を増加させると、間接気化エレメント１１におけるプロダクトエアＰＡの出口温度が低下する。よって、給気吹出口６からの給気温度を下げることができる。
【００７６】
また、排気流量調整ダンパ１５の開度を制御して、ワーキングエアＷＡの流量を減少させると、間接気化エレメント１１におけるプロダクトエアＰＡの出口温度が上昇する。よって、給気吹出口６からの給気温度を上げることができる。
【００７７】
更に、給気流量調整ダンパ１４の開度を制御して、プロダクトエアＰＡの流量を増加させると、間接気化エレメント１１におけるプロダクトエアＰＡの出口温度が上昇する。よって、給気吹出口６からの給気温度を上げることができる。
【００７８】
また、給気流量調整ダンパ１４の開度を制御して、プロダクトエアＰＡの流量を減少させると、間接気化エレメント１１におけるプロダクトエアＰＡの出口温度が低下する。よって、給気吹出口６からの給気温度を下げることができる。
【００７９】
このように、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【００８０】
また、給気流量調整ダンパ１４と排気流量調整ダンパ１５の双方を作動させて、プロダクトエアＰＡの流量及びワーキングエアＷＡの流量を調整することでも、間接気化エレメント１１におけるプロダクトエアＰＡの出口温度が制御され、給気吹出口６からの給気温度が制御される。
【００８１】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【００８２】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【００８３】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【００８４】
上述した温度制御は、後述する設定スイッチで手動で行うこともできるし、温度センサ１７等を利用して、温度に合わせて自動調整することも可能である。
【００８５】
なお、夏場に換気装置１Ａを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【００８６】
そして、還気ＲＡを利用することで、室内のエアを屋外に排気しながら、外気を冷却して取り入れることができ、換気装置１Ａは換気を行いながら冷房を行う機能を有することになる。
【００８７】
＜第１の実施の形態の換気装置１Ｄの構成＞
図８は第１の実施の形態の換気装置１Ｄの一例を示す構成図である。第１の実施の形態の換気装置１Ｄは、給気ファン２と排気ファン３と間接気化冷却ユニット４と、熱交換ユニット３１を備える。なお、第１の実施の形態の換気装置１Ｄにおいて、換気装置１Ａと同じ構成要素については、同じ番号を付して説明する。
【００８８】
熱交換ユニット３１は、熱交換エレメント３２と図示しないフィルタ等を備える。熱交換エレメント３２は、第１の流路３２ａが形成された熱交換素子材と第２の流路３２ｂが形成された熱交換素子材を、第１の流路３２ａと第２の流路３２ｂが直交する向きで積層した直交流式熱交換器である。第１の流路３２ａと第２の流路３２ｂは図示しない隔壁で仕切られ、第１の流路３２ａと第２の流路３２ｂに供給されたエアの間で顕熱交換が行われる。なお、熱交換ユニット３１を断熱材で囲う構成としても良い。そして、間接気化冷却ユニット４と、熱交換ユニット３１を独立した断熱材で囲うことで、メンテナンス性等が向上する。
【００８９】
また、熱交換ユニット３１として、顕熱（温度）交換を行う熱交換エレメント３２を備えた構成としたが、顕熱交換に加えて潜熱（湿度）交換を行ういわゆる全熱交換エレメントを備えた構成としても良い。
【００９０】
給気流路９Ｄは、外気吸込口５から給気ファン２、熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する。
【００９１】
第２の排気流路１０Ｅは、還気吸込口７から間接気化エレメント１１のワーキングエア流路１１ａ及び排気ファン３を通り、排気吹出口８へ連通する。また、第１の排気流路１０Ｆは、還気吸込口７から熱交換エレメント３２の第２の流路３２ｂ及び排気ファン３を通り、排気吹出口８へ連通する。
【００９２】
給気流路９Ｄは、例えば熱交換ユニット３１の上流側に給気流量調整ダンパ１４を備える。給気流量調整ダンパ１４の開度を調整することで、給気流路９Ｄを流れるエアの流量が調整される。これにより、間接気化エレメント１１のプロダクトエア流路１１ｂを流れるプロダクトエアＰＡの流量が調整される。
【００９３】
第２の排気流路１０Ｅは、例えば間接気化冷却ユニット４の上流側に排気流量調整ダンパ１５を備える。排気流量調整ダンパ１５の開度を調整することで、第２の排気流路１０Ｅを流れるエアの流量が調整される。これにより、間接気化エレメント１１のワーキングエア流路１１ａを流れるワーキングエアＷＡの流量が調整される。
【００９４】
また、給気流路９Ｄは、例えば熱交換ユニット３１の上流側に空気清浄フィルタ１６を備える。空気清浄フィルタ１６を熱交換ユニット３１の上流側に配置することで、熱交換エレメント３２及び間接気化エレメント１１への粉塵等の侵入を防ぐ。
【００９５】
更に、給気流路９Ｄは、給気吹出口６に温度センサ１７を備えることで、給気温度が検出される。
【００９６】
＜第１の実施の形態の換気装置１Ｄの動作＞
次に、図８等を参照に第１の実施の形態の換気装置１Ｄの動作について説明する。まず、冷房動作から説明すると、換気装置１Ｄは、給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【００９７】
また、排気ファン３が駆動されると、第２の排気流路１０Ｅ及び第１の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【００９８】
従って、換気装置１Ｄでは、外気ＯＡがプロダクトエアＰＡとなり、還気ＲＡがワーキングエアＷＡとなる。
【００９９】
熱交換エレメント３２では、第１の流路３２ａを通る外気ＯＡと、第２の流路３２ｂを通る還気ＲＡの間で熱交換が行われる。夏場に換気装置１Ｄを使用することで、室内の温度が下げられ、還気ＲＡの温度は外気ＯＡの温度よりも低い。
【０１００】
よって、熱交換エレメント３２の第１の流路３２ａを通った外気ＯＡは温度が下がり、第２の流路３２ｂを通った還気ＲＡは温度が上がる。
【０１０１】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１０２】
よって、間接気化エレメント１１のプロダクトエア流路１１ｂを通過した外気ＯＡを、給気吹出口６から給気ＳＡとして吹き出すことで、室内の温度を下げることができる。
【０１０３】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１０４】
また、図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１０５】
なお、間接気化エレメント１１のワーキングエア流路１１ａを通った還気ＲＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１０６】
換気装置１Ｄでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１０７】
これにより、熱交換ユニット３１を備えた換気装置１Ｄでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０１０８】
例えば、ワーキングエアＷＡの流量を増加させると、間接気化エレメント１１におけるプロダクトエアＰＡの出口温度が低下することで、給気吹出口６からの給気温度を下げることができる。
【０１０９】
また、ワーキングエアＷＡの流量を減少させると、間接気化エレメント１１におけるプロダクトエアＰＡの出口温度が上昇することで、給気吹出口６からの給気温度を上げることができる。
【０１１０】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１１１】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０１１２】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１１３】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１１４】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１１５】
熱交換ユニット３１を備えた構成と、熱交換ユニット３１を備えていない構成の比較例を図８（ｂ）に示すと、まず、熱交換ユニット３１を備えていない構成では、４０℃の外気ＯＡを取り入れて間接気化冷却ユニット４で冷却すると、図５に示すグラフから、２１℃の給気ＳＡが生成できることが判るが、同時に図６に示すように、０．４８ｋｇ／ｈｒの水を消費する。
【０１１６】
そこで、取り込んだ外気ＯＡの温度を下げる熱交換ユニット３１を組み込むこととした。熱交換ユニット３１を構成する熱交換エレメント３２は、一般的に７０％程度の熱交換率を有しており、４０℃の外気ＯＡと２５℃の還気ＲＡ（室内空気）で熱交換すると、熱交換効率７０％で間接気化冷却ユニット４に２９．５℃のエアを供給できることになる。
【０１１７】
この条件で間接気化エレメント１１のプロダクトエアＰＡとワーキングエアＷＡとして供給すると、１７℃の給気ＳＡを生成でき、水の消費量も０．３２ｋｇ／ｈｒと抑えることができることが判った。
【０１１８】
これにより、換気装置１Ｄは、熱交換ユニット３１を備え、熱交換ユニット３１と間接気化冷却ユニット４で還気ＲＡを利用することで、冷却能力が向上すると共に、水の消費を抑えることができる。また、還気ＲＡを利用することで、室内のエアを屋外に排気しながら、外気を冷却して取り入れることができ、換気装置１Ｄは換気を行いながら冷房を行う機能を有することになる。
【０１１９】
また、建築基準法によって、住宅の空気を所定時間で入れ替えることができる換気設備の設置が必要となり、ファンを利用して強制的に換気が行えるようにした換気装置等を利用して、所定時間で部屋の空気の入れ替えができるようにしている。
【０１２０】
本例の換気装置１Ｄは、換気を行いながら冷房を行う機能を有するので、別の換気装置を備えることなく、還気ＲＡの流量と、給気ＳＡの流量を調整することで、所定時間で部屋の空気を入れ替えるような換気動作が可能で、２４時間換気装置としても利用できる。このため、換気装置１Ｄでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１２１】
２４時間換気機能は、建物内の換気対象エリアの所定回数換気（例えば、０．５回／時間）を満たすような連続的または断続的に常時換気をする機能である。これは、換気装置１のみで所定換気回数を満たしても良いし、他の換気装置の換気量を合わせて所定回数換気を満たすようしても良い。また、冬季等で、所定換気回数を少なくするため、操作手段のスイッチや温度を検出して、手動または自動で切り換えられるようにして、２４時間換気風量を小さくなるようにしても良い。
【０１２２】
図９は第１の実施の形態の換気装置１Ｄの暖房動作時のエアの流れを示す概略構成図で、次に、暖房動作について説明する。暖房動作時は、排気流量調整ダンパ１５を閉じ、第２の排気流路１０ＥによるワーキングエアＷＡの供給を停止する。また、給排水装置１２の給水バルブ１２ａを閉じ、間接気化エレメント１１への給水を停止する。
【０１２３】
給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１２４】
また、排気ファン３が駆動されると、第１の排気流路１０Ｆにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１２５】
熱交換エレメント３２では、第１の流路３２ａを通る外気ＯＡと、第２の流路３２ｂを通る還気ＲＡの間で熱交換が行われる。冬に換気装置１Ｄを使用することで、室内の温度が上げられ、還気ＲＡの温度は外気ＯＡの温度よりも高い。
【０１２６】
よって、熱交換エレメント３２の第１の流路３２ａを通った外気ＯＡは温度が上がる。
【０１２７】
間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。
【０１２８】
暖房運転時でも、還気ＲＡを利用することで、室内のエアを屋外に排気しながら、外気を加温して取り入れることができ、換気装置１Ｄは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０１２９】
＜第２の実施の形態の換気装置１Ｅの構成＞
図１０は第２の実施の形態の換気装置１Ｅの一例を示す構成図である。第２の実施の形態の換気装置１Ｅは、熱交換ユニット３１を備えた換気装置１Ｅにおいて、間接気化冷却ユニット４を構成する間接気化エレメント１１のワーキングエアＷＡに外気ＯＡを使用するものである。なお、第２の実施の形態の換気装置１Ｅにおいて、第１の実施の形態の換気装置１Ｄと同じ構成要素については、同じ番号を付して説明する。
【０１３０】
換気装置１Ｅは、外気吸込口５から給気ファン２、熱交換エレメント３２の第１の流路３２ａ及び間接気化エレメント１１のプロダクトエア流路１１ｂを通り、給気吹出口６へ連通する給気流路９Ｅを備える。
【０１３１】
また、換気装置１Ｅは、熱交換ユニット３１より下流側で給気流路９Ｅと分岐し、間接気化エレメント１１のワーキングエア流路１１ａ及び排気ファン３を通り、排気吹出口８へ連通する第２の排気流路１０Ｇと、還気吸込口７から熱交換エレメント３２の第２の流路３２ｂ及び排気ファン３を通り、排気吹出口８へ連通した第１の排気流路１０Ｈを備える。
【０１３２】
給気流路９Ｅは、例えば間接気化冷却ユニット４の上流側に給気流量調整ダンパ１４を備える。また、第２の排気流路１０Ｇは、給気流路９Ｅとの分岐位置より下流側で、例えば間接気化冷却ユニット４の上流側に排気流量調整ダンパ１５を備える。
【０１３３】
給気流量調整ダンパ１４の開度を調整することで、給気流路９Ｅを流れるエアの流量が調整される。これにより、間接気化エレメント１１のプロダクトエア流路１１ｂを流れるプロダクトエアＰＡの流量が調整される。
【０１３４】
また、排気流量調整ダンパ１５の開度を調整することで、第２の排気流路１０Ｇを流れるエアの流量が調整される。これにより、間接気化エレメント１１のワーキングエア流路１１ａを流れるワーキングエアＷＡの流量が調整される。
【０１３５】
なお、給気流路９Ｅは、例えば熱交換ユニット３１より上流側に空気清浄フィルタ１６を備える。更に、給気流路９Ｅは、給気吹出口６に温度センサ１７を備える。
【０１３６】
＜第２の実施の形態の換気装置１Ｅの動作＞
次に、図１０等を参照に第２の実施の形態の換気装置１Ｅの動作について説明する。まず、冷房動作から説明すると、換気装置１Ｅは、給気ファン２が駆動されると、給気流路９Ｅにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１３７】
また、排気ファン３が駆動されると、第２の排気流路１０Ｇ及び第１の排気流路１０Ｈにおいて排気吹出口８へ向かうエアの流れが生成される。これにより、第２の排気流路１０Ｇによって外気ＯＡの一部が間接気化エレメント１１のワーキングエア流路１１ａを通り、排気吹出口８から排気ＥＡとして屋外に排出される。また、第１の排気流路１０Ｈによって、室内からの還気ＲＡが還気吸込口７から吸い込まれ、熱交換エレメント３２の第２の流路３２ｂを通り、排気吹出口８から排気ＥＡとして屋外に排出される。
【０１３８】
従って、換気装置１Ｅでは、外気ＯＡがプロダクトエアＰＡ及びワーキングエアＷＡとなる。
【０１３９】
熱交換エレメント３２では、第１の流路３２ａを通る外気ＯＡと、第２の流路３２ｂを通る還気ＲＡの間で熱交換が行われる。夏場に換気装置１Ｅを使用することで、室内の温度が下げられ、還気ＲＡの温度は外気ＯＡの温度よりも低い。
【０１４０】
よって、熱交換エレメント３２の第１の流路３２ａを通った外気ＯＡは温度が下がり、第２の流路３２ｂを通った還気ＲＡは温度が上がる。
【０１４１】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１４２】
よって、間接気化エレメント１１のプロダクトエア流路１１ｂを通過した外気ＯＡを、給気吹出口６から給気ＳＡとして吹き出すことで、室内の温度を下げることができる。
【０１４３】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１４４】
また、図５で説明したように、ワーキングエアＷＡの入力温度が低いと、プロダクトエアＰＡの出口温度が下がるので、熱交換ユニット３１で冷却された外気ＯＡの一部をワーキングエアＷＡとして利用することで、効率的にプロダクトエアＰＡの出口温度を下げて、給気温度を制御することができる。
【０１４５】
なお、間接気化エレメント１１のワーキングエア流路１１ａを通った外気ＯＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１４６】
換気装置１Ｅでは、第４の実施の形態の換気装置１Ｄと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１４７】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０１４８】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１４９】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１５０】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１５１】
換気装置１Ｅは、熱交換ユニット３１を備え、熱交換ユニット３１で還気ＲＡを利用し、熱交換ユニット３１で冷却されたＯＡを間接気化冷却ユニット４で利用することで、冷却能力が向上する。また、還気ＲＡを利用することで、室内のエアを屋外に排気しながら、外気を冷却して取り入れることができ、換気装置１Ｅは換気を行いながら冷房を行う機能を有することになる。
【０１５２】
そして、還気ＲＡの流量と、給気ＳＡの流量を調整することで、所定時間で部屋の空気を入れ替えるような換気動作が可能である。このため、換気装置１Ｅでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１５３】
図１１は第２の実施の形態の換気装置１Ｅの暖房動作時のエアの流れを示す概略構成図で、次に、暖房動作について説明する。図１１（ａ）に示す例では、暖房動作時は、排気流量調整ダンパ１５を閉じ、第２の排気流路１０ＧによるワーキングエアＷＡの供給を停止する。また、給排水装置１２の給水バルブ１２ａを閉じ、間接気化エレメント１１への給水を停止する。
【０１５４】
給気ファン２が駆動されると、給気流路９Ｅにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１５５】
また、排気ファン３が駆動されると、第１の排気流路１０Ｈにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１５６】
熱交換エレメント３２では、第１の流路３２ａを通る外気ＯＡと、第２の流路３２ｂを通る還気ＲＡの間で熱交換が行われる。冬に換気装置１Ｅを使用することで、室内の温度が上げられ、還気ＲＡの温度は外気ＯＡの温度よりも高い。
【０１５７】
よって、熱交換エレメント３２の第１の流路３２ａを通った外気ＯＡは温度が上がる。
【０１５８】
間接気化冷却ユニット４は、ワーキングエアＷＡの供給が停止しているので、プロダクトエア流路１１ｂを通るプロダクトエアＰＡは冷却されない。これにより、熱交換ユニット３１で加温された外気ＯＡが、給気ＳＡとして給気吹出口６から給気される。
【０１５９】
図１１（ｂ）に示す例では、間接気化冷却ユニット４の下流で第２の排気流路１０Ｇから分岐し、間接気化冷却ユニット４の下流で給気流路９Ｅと連通した加湿給気流路９Ｅ−１を備える。
【０１６０】
第２の排気流路１０Ｇと加湿給気流路９Ｅ−１の分岐位置には、エアを通す方向を切り換える図示しない切換ダンパを備え、暖房運転時は、間接気化冷却ユニット４へ供給されるワーキングエアＷＡの流路を、第２の排気流路１０Ｇから加湿給気流路９Ｅ−１へ切り換える。
【０１６１】
また、給気流量調整ダンパ１４を閉じ、給気流路９ＥによるプロダクトエアＰＡの供給を停止する。更に、給排水装置１２の給水バルブ１２ａを開け、間接気化エレメント１１への給水を行う。
【０１６２】
給気ファン２が駆動されると、給気流路９Ｅから加湿給気流路９Ｅ−１を通り給気吹出口６へ向かうエアの流れが生成される。これにより、外気ＯＡが外気吸込口５から吸い込まれ、熱交換エレメント３２の第１の流路３２ａ及び間接気化エレメント１１のワーキングエア流路１１ａを通り、給気吹出口６から給気ＳＡとして室内に供給される。
【０１６３】
また、排気ファン３が駆動されると、第１の排気流路１０Ｈにおいて排気吹出口８へ向かうエアの流れが生成される。これにより、室内からの還気ＲＡが還気吸込口７から吸い込まれ、熱交換エレメント３２の第２の流路３２ｂを通り、排気吹出口８から排気ＥＡとして屋外に排出される。
【０１６４】
熱交換エレメント３２では、第１の流路３２ａを通る外気ＯＡと、第２の流路３２ｂを通る還気ＲＡの間で熱交換が行われる。冬に換気装置１Ｅを使用することで、室内の温度が上げられ、還気ＲＡの温度は外気ＯＡの温度よりも高い。
【０１６５】
よって、熱交換エレメント３２の第１の流路３２ａを通った外気ＯＡは温度が上がる。
【０１６６】
間接気化冷却ユニット４のワーキングエア流路１１ａを通った外気ＯＡは、間接気化エレメント１１に給水が行われていることで加湿される。これにより、熱交換ユニット３１で加温され、間接気化冷却ユニット４で加湿された外気ＯＡが、給気ＳＡとして給気吹出口６から給気される。
【０１６７】
なお、間接気化冷却ユニット４のワーキングエア流路１１ａを通った外気ＯＡは、水の気化熱で冷却されるので、図１１（ａ）に示す例に比較すると、給気ＳＡの温度は下がる。但し、加湿されることで、室内の乾燥を防ぐことができる。
【０１６８】
以上の暖房運転時でも、還気ＲＡを利用することで、室内のエアを屋外に排気しながら、外気を加温して取り入れることができ、換気装置１Ｅは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０１６９】
＜第３の実施の形態の換気装置１Ｇの構成＞
図１２は第３の実施の形態の換気装置１Ｇの一例を示す構成図である。第３の実施の形態の換気装置１Ｇは、給気ファン２と排気ファン３と間接気化冷却ユニット４に加え、除湿ユニット３３を備える。なお、第３の実施の形態の換気装置１Ｇにおいて、換気装置１Ａと同じ構成要素については、同じ番号を付して説明する。
【０１７０】
除湿ユニット３３は、隔壁３４で仕切られた除湿流路３５ａ及び再生流路３５ｂと、除湿流路３５ａと再生流路３５ｂに跨って回転駆動される除湿ロータ３６と、再生流路３５ｂを通るエアを加熱するヒータ３７と、除湿ロータ３６を回転駆動する図示しない回転駆動装置を備える。
【０１７１】
除湿ロータ３６は、シリカゲル等の吸着材を有するハニカム構造の部材が、軸方向に連通した流路が形成されるように円板状に構成される。除湿ロータ３６は除湿流路３５ａと再生流路３５ｂに跨って配置され、除湿流路３５ａを通るエア及び再生流路３５ｂを通るエアはそれぞれ除湿ロータ３６を通る。
【０１７２】
なお、除湿ロータ３６において除湿流路３５ａと再生流路３５ｂは隔壁３４で仕切られ、除湿流路３５ａを通るエアと再生流路３５ｂを通るエアが混合されることはない。
【０１７３】
除湿流路３５ａを通るエアは水分が除湿ロータ３６に吸着され、除湿される。除湿ロータ３６は、回転駆動されることで、水分を吸着した部分が再生流路３５ｂ側に移動する。再生流路３５ｂを通るエアはヒータ３７で加熱されることで、再生流路３５ｂを通るエアで除湿ロータ３６が加熱されて水分が蒸発し、再度水分を吸着できる状態に再生する。
【０１７４】
そして、除湿ロータ３６は、再生された部分が除湿流路３５ａ側に移動する。これにより、除湿ユニット３３は、除湿ロータ３６を回転駆動することで、水分の吸着と再生を繰り返しながら、除湿流路３５ａを通るエアが除湿される。
【０１７５】
給気流路９Ｇは、外気吸込口５から給気ファン２、除湿ユニット３３の除湿流路３５ａ及び間接気化エレメント１１のプロダクトエア流路１１ｂを通り、給気吹出口６へ連通する。
【０１７６】
第２の排気流路１０Ｊは、還気吸込口７から間接気化エレメント１１のワーキングエア流路１１ａ及び排気ファン３を通り、排気吹出口８へ連通する。また、第１の排気流路１０Ｋは、還気吸込口７から除湿ユニット３３の再生流路３５ｂ及び排気ファン３を通り、排気吹出口８へ連通する。
【０１７７】
給気流路９Ｇは、例えば除湿ユニット３３の上流側に給気流量調整ダンパ１４を備える。給気流量調整ダンパ１４の開度を調整することで、給気流路９Ｇを流れるエアの流量が調整される。これにより、間接気化エレメント１１のプロダクトエア流路１１ｂを流れるプロダクトエアＰＡの流量が調整される。
【０１７８】
第２の排気流路１０Ｊは、例えば間接気化冷却ユニット４の上流側に排気流量調整ダンパ１５を備える。排気流量調整ダンパ１５の開度を調整することで、第２の排気流路１０Ｊを流れるエアの流量が調整される。これにより、間接気化エレメント１１のワーキングエア流路１１ａを流れるワーキングエアＷＡの流量が調整される。
【０１７９】
また、給気流路９Ｇは、例えば除湿ユニット３３の上流側に空気清浄フィルタ１６を備える。空気清浄フィルタ１６を除湿ユニット３３の上流側に配置することで、除湿ロータ３６及び間接気化エレメント１１への粉塵等の侵入を防ぐ。
【０１８０】
更に、給気流路９Ｇは、給気吹出口６に温度センサ１７を備えることで、給気温度が検出される。
【０１８１】
＜第３の実施の形態の換気装置１Ｇの動作＞
次に、図１２等を参照に第３の実施の形態の換気装置１Ｇの動作について説明する。まず、冷房動作から説明すると、換気装置１Ｇは、給気ファン２が駆動されると、給気流路９Ｇにおいて給気吹出口６へ向かうエアの流れが生成される。これにより、外気ＯＡが外気吸込口５から吸い込まれ、空気清浄フィルタ１６、除湿ユニット３３の除湿流路３５ａ及び間接気化エレメント１１のプロダクトエア流路１１ｂを通り、給気吹出口６から給気ＳＡとして室内に供給される。
【０１８２】
また、排気ファン３が駆動されると、第２の排気流路１０Ｊ及び第１の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ｂを通り、排気吹出口８から排気ＥＡとして屋外に排出される。
【０１８３】
従って、換気装置１Ｇでは、外気ＯＡがプロダクトエアＰＡとなり、還気ＲＡがワーキングエアＷＡとなる。
【０１８４】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１８５】
よって、間接気化エレメント１１のプロダクトエア流路１１ｂを通過した外気ＯＡを、給気吹出口６から給気ＳＡとして吹き出すことで、室内の温度を下げることができる。
【０１８６】
ここで、間接気化エレメント１１のプロダクトエア流路１１ｂを通る外気ＯＡは、前段の除湿ユニット３３で湿度が下げられている。これにより、図７で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０１８７】
また、夏場に換気装置１Ｇを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１８８】
なお、間接気化エレメント１１のワーキングエア流路１１ａを通った還気ＲＡ及び除湿ユニット３３の再生流路３５ｂを通った還気ＲＡは高湿度のエアとなるので、排気吹出口８から排気ＥＡとして排出する。
【０１８９】
換気装置１Ｇでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１９０】
これにより、除湿ユニット３３を備えた換気装置１Ｇでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０１９１】
例えば、ワーキングエアＷＡの流量を増加させると、間接気化エレメント１１におけるプロダクトエアＰＡの出口温度が低下することで、給気吹出口６からの給気温度を下げることができる。
【０１９２】
また、ワーキングエアＷＡの流量を減少させると、間接気化エレメント１１におけるプロダクトエアＰＡの出口温度が上昇することで、給気吹出口６からの給気温度を上げることができる。
【０１９３】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１９４】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０１９５】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１９６】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１９７】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１９８】
除湿ユニット３３を備えた構成の効果を図１２（ｂ）に示すと、例えば、温度３０℃、絶対湿度１０ｇ／ｋｇ（ＤＡ）、相対湿度約４０％ＲＨの外気ＱＡが、除湿ユニット３３の除湿流路３５ａを通ることで、温度４０℃、絶対湿度５ｇ／ｋｇ（ＤＡ）、相対湿度約１０％ＲＨの入力エアとなる。
【０１９９】
ここで、入力エアの温度が上がるのは、除湿ユニット３３では、除湿ロータ３６が再生流路３５ｂ側ではヒータ３７により加熱されるためである。
【０２００】
この条件の入力エアを、間接気化冷却ユニット４のプロダクトエアＰＡ及びワーキングエアＷＡとすると、入力湿度（絶対湿度）が低いため、プロダクトエアＰＡの出口温度は２０℃と下がる。なお、絶対湿度が５ｇ／ｋｇ（ＤＡ）と低いので、出口温度は更に下がる余地がある。
【０２０１】
これにより、換気装置１Ｇは、除湿ユニット３３を備え、間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｇは換気を行いながら冷房を行う機能を有することになる。
【０２０２】
そして、還気ＲＡの流量と、給気ＳＡの流量を調整することで、所定時間で部屋の空気を入れ替えるような換気動作が可能である。このため、換気装置１Ｇでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２０３】
図１３は第３の実施の形態の換気装置１Ｇの暖房動作時のエアの流れを示す概略構成図で、次に、暖房動作について説明する。暖房動作時は、排気流量調整ダンパ１５を閉じ、第２の排気流路１０ＪによるワーキングエアＷＡの供給を停止する。また、給排水装置１２の給水バルブ１２ａを閉じ、間接気化エレメント１１への給水を停止する。
【０２０４】
更に、除湿ユニット３３のヒータ３７を給気流路９と排気流路１０の間で移動させる機構を備え、暖房運転時は、ヒータ３７を給気流路９側に移動させる。これにより、再生流路３５ｂが形成され、給気流路９Ｇと連通されると共に、第１の排気流路１０Ｋが除湿流路３５ａと連通することになる。
【０２０５】
給気ファン２が駆動されると、給気流路９Ｇにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２０６】
また、排気ファン３が駆動されると、第１の排気流路１０Ｋにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２０７】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２０８】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２０９】
暖房運転時でも、還気ＲＡを利用することで、室内のエアを屋外に排気しながら、外気を加温して取り入れることができ、換気装置１Ｇは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０２１０】
＜第３の実施の形態の換気装置１Ｇの変形例＞
図１４は第３の実施の形態の換気装置１Ｇの変形例を示す概略構成図である。図１４（ａ）に示す換気装置１Ｇ−１は、第２の排気流路１０Ｊを、除湿ユニット３３の除湿流路３５ａを通し、間接気化エレメント１１のワーキングエア流路１１ａと連通させたものである。
【０２１１】
除湿ユニット３３は、図１４（ｂ）に模式的に示すように、除湿流路３５ａが隔壁３４ａで２分割され、給気流路９Ｇと連通した除湿流路３５ａと、排気流路１０Ｊと連通した除湿流路３５ａは独立している。
【０２１２】
以上の構成では、ワーキングエアＷＡとして利用する還気ＲＡも除湿されることで、ワーキングエアＷＡの入口湿度を下げることができる。よって、冷却能力が向上する。
【０２１３】
図１５は第３の実施の形態の変形例の換気装置１Ｇ−１の暖房動作時のエアの流れを示す概略構成図で、次に、暖房動作について説明する。暖房動作時は、図示しない排気流量調整ダンパを閉じ、第２の排気流路１０ＪによるワーキングエアＷＡの供給を停止する。また、給排水装置１２の給水バルブ１２ａを閉じ、間接気化エレメント１１への給水を停止する。
【０２１４】
更に、暖房運転時は、ヒータ３７を給気流路９側に移動させる。これにより、再生流路３５ｂが形成され、給気流路９Ｇと連通されると共に、第１の排気流路１０Ｋが除湿流路３５ａと連通することになる。
【０２１５】
給気ファン２が駆動されると、給気流路９Ｇにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２１６】
また、排気ファン３が駆動されると、第１の排気流路１０Ｋにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２１７】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２１８】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２１９】
＜第４の実施の形態の換気装置１Ｈの構成＞
図１６は第４の実施の形態の換気装置１Ｈの一例を示す構成図である。第４の実施の形態の換気装置１Ｈは、除湿ユニット３３を備えた換気装置１Ｈにおいて、間接気化冷却ユニット４を構成する間接気化エレメント１１のワーキングエアＷＡに外気ＯＡを使用するものである。なお、第４の実施の形態の換気装置１Ｈにおいて、第３の実施の形態の換気装置１Ｇと同じ構成要素については、同じ番号を付して説明する。
【０２２０】
換気装置１Ｈは、外気吸込口５から給気ファン２、除湿ユニット３３の除湿流路３５ａ及び間接気化エレメント１１のプロダクトエア流路１１ｂを通り、給気吹出口６へ連通する給気流路９Ｈを備える。
【０２２１】
また、換気装置１Ｈは、除湿ユニット３３より下流側で給気流路９Ｈと分岐し、間接気化エレメント１１のワーキングエア流路１１ａ及び排気ファン３を通り、排気吹出口８へ連通する第２の排気流路１０Ｌと、還気吸込口７から除湿ユニット３３の再生流路３５ｂ及び排気ファン３を通り、排気吹出口８へ連通した第１の排気流路１０Ｍを備える。
【０２２２】
給気流路９Ｈは、例えば間接気化冷却ユニット４の上流側に給気流量調整ダンパ１４を備える。また、第２の排気流路１０Ｌは、給気流路９Ｈとの分岐位置より下流側で、例えば間接気化冷却ユニット４の上流側に排気流量調整ダンパ１５を備える。
【０２２３】
給気流量調整ダンパ１４の開度を調整することで、給気流路９Ｈを流れるエアの流量が調整される。これにより、間接気化エレメント１１のプロダクトエア流路１１ｂを流れるプロダクトエアＰＡの流量が調整される。
【０２２４】
また、排気流量調整ダンパ１５の開度を調整することで、第２の排気流路１０Ｌを流れるエアの流量が調整される。これにより、間接気化エレメント１１のワーキングエア流路１１ａを流れるワーキングエアＷＡの流量が調整される。
【０２２５】
なお、給気流路９Ｈは、例えば除湿ユニット３３より上流側に空気清浄フィルタ１６を備える。更に、給気流路９Ｈは、給気吹出口６に温度センサ１７を備える。
【０２２６】
＜第４の実施の形態の換気装置１Ｈの動作＞
次に、図１６等を参照に第４の実施の形態の換気装置１Ｈの動作について説明する。先ず冷房動作から説明すると、換気装置１Ｈは、給気ファン２が駆動されると、給気流路９Ｈにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２２７】
また、排気ファン３が駆動されると、第２の排気流路１０Ｌ及び第１の排気流路１０Ｍにおいて排気吹出口８へ向かうエアの流れが生成される。これにより、第２の排気流路１０Ｌによって外気ＯＡの一部が間接気化エレメント１１のワーキングエア流路１１ａを通り、排気吹出口８から排気ＥＡとして屋外に排出される。また、第１の排気流路１０Ｍによって、室内からの還気ＲＡが還気吸込口７から吸い込まれ、除湿ユニット３３の再生流路３５ｂを通り、排気吹出口８から排気ＥＡとして屋外に排出される。
【０２２８】
従って、換気装置１Ｈでは、外気ＯＡがプロダクトエアＰＡ及びワーキングエアＷＡとなる。
【０２２９】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２３０】
よって、間接気化エレメント１１のプロダクトエア流路１１ｂを通過した外気ＯＡを、給気吹出口６から給気ＳＡとして吹き出すことで、室内の温度を下げることができる。
【０２３１】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図７で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２３２】
なお、間接気化エレメント１１のワーキングエア流路１１ａを通った外気ＯＡ及び除湿ユニット３３の再生流路３５ｂを通った還気ＲＡは高湿度のエアとなるので、排気吹出口８から排気ＥＡとして排出する。
【０２３３】
換気装置１Ｈでは、第３の実施の形態の換気装置１Ｇと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２３４】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０２３５】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２３６】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２３７】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２３８】
換気装置１Ｈは、除湿ユニット３３を備え、除湿ユニット３３で除湿された外気ＯＡを間接気化冷却ユニット４で利用することで、冷却能力が向上する。また、還気ＲＡを除湿ユニット３３で再生空気として利用することで、室内のエアを屋外に排気しながら、外気を冷却して取り入れることができ、換気装置１Ｈは換気を行いながら冷房を行う機能を有することになる。
【０２３９】
そして、還気ＲＡの流量と、給気ＳＡの流量を調整することで、所定時間で部屋の空気を入れ替えるような換気動作が可能である。このため、換気装置１Ｈでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２４０】
図１７は第４の実施の形態の換気装置１Ｈの暖房動作時のエアの流れを示す概略構成図で、次に、暖房動作について説明する。図１７（ａ）に示す例では、暖房動作時は、排気流量調整ダンパ１５を閉じ、第２の排気流路１０ＬによるワーキングエアＷＡの供給を停止する。また、給排水装置１２の給水バルブ１２ａを閉じ、間接気化エレメント１１への給水を停止する。
【０２４１】
更に、除湿ユニット３３のヒータ３７を給気流路９と排気流路１０の間で移動させる機構を備え、暖房運転時は、ヒータ３７を給気流路９側に移動させる。これにより、再生流路３５ｂが形成され、給気流路９Ｈと連通されると共に、第１の排気流路１０Ｍが除湿流路３５ａと連通することになる。
【０２４２】
給気ファン２が駆動されると、給気流路９Ｈにおいて給気吹出口６へ向かうエアの流れが生成される。これにより、外気ＯＡが外気吸込口５から吸い込まれ、除湿ユニット３３の再生流路３５ｂ及び間接気化エレメント１１のプロダクトエア流路１１ｂを通り、給気吹出口６から給気ＳＡとして室内に供給される。
【０２４３】
また、排気ファン３が駆動されると、第１の排気流路１０Ｍにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２４４】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２４５】
間接気化冷却ユニット４は、ワーキングエアＷＡの供給が停止しているので、プロダクトエア流路１１ｂを通るプロダクトエアＰＡは冷却されない。これにより、除湿ユニット３３で加温及び加湿された外気ＯＡが、給気ＳＡとして給気吹出口６から給気される。
【０２４６】
図１７（ｂ）に示す例では、間接気化冷却ユニット４の下流で第２の排気流路１０Ｌから分岐し、間接気化冷却ユニット４の下流で給気流路９Ｈと連通した加湿給気流路９Ｈ−１を備える。
【０２４７】
第２の排気流路１０Ｌと加湿給気流路９Ｈ−１の分岐位置には、エアを通す方向を切り換える図示しない切換ダンパを備え、暖房運転時は、間接気化冷却ユニット４へ供給されるワーキングエアＷＡの流路を、第２の排気流路１０Ｌから加湿給気流路９Ｈ−１へ切り換える。
【０２４８】
また、給気流量調整ダンパ１４を閉じ、給気流路９ＨによるプロダクトエアＰＡの供給を停止する。更に、給排水装置１２の給水バルブ１２ａを開け、間接気化エレメント１１への給水を行う。
【０２４９】
また、除湿ユニット３３のヒータ３７を給気流路９と排気流路１０の間で移動させる機構を備え、暖房運転時は、ヒータ３７を給気流路９側に移動させる。これにより、再生流路３５ｂが形成され、給気流路９Ｈと連通されると共に、第１の排気流路１０Ｍが除湿流路３５ａと連通することになる。
【０２５０】
給気ファン２が駆動されると、給気流路９Ｈから加湿給気流路９Ｈ−１を通り給気吹出口６へ向かうエアの流れが生成される。これにより、外気ＯＡが外気吸込口５から吸い込まれ、除湿ユニット３３の再生流路３５ｂ及び間接気化エレメント１１のワーキングエア流路１１ａを通り、給気吹出口６から給気ＳＡとして室内に供給される。
【０２５１】
また、排気ファン３が駆動されると、第１の排気流路１０Ｍにおいて排気吹出口８へ向かうエアの流れが生成される。これにより、室内からの還気ＲＡが還気吸込口７から吸い込まれ、除湿ユニット３３の除湿流路３５ａを通り、排気吹出口８から排気ＥＡとして屋外に排出される。
【０２５２】
除湿ユニット３３では、除湿流路３５ａにおいて還気ＲＡが除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３を通過した外気ＯＡは加温及び加湿される。
【０２５３】
間接気化冷却ユニット４のワーキングエア流路１１ａを通った外気ＯＡは、間接気化エレメント１１に給水が行われていることで加湿される。これにより、除湿ユニット３３で加温及び加湿され、間接気化冷却ユニット４で更に加湿された外気ＯＡが、給気ＳＡとして給気吹出口６から給気される。
【０２５４】
なお、間接気化冷却ユニット４のワーキングエア流路１１ａを通った外気ＯＡは、水の気化熱で冷却されるので、図１７（ａ）に示す例に比較すると、給気ＳＡの温度は下がる。但し、加湿されることで、室内の乾燥を防ぐことができる。
【０２５５】
以上の暖房運転時でも、還気ＲＡを利用することで、室内のエアを屋外に排気しながら、外気を加温して取り入れることができ、換気装置１Ｈは換気を行いながら暖房を行う機能を有することになる。そして、還気ＲＡの流量と、給気ＳＡの流量を調整することで、所定時間で部屋の空気を入れ替えるような換気動作が可能で、２４時間換気装置としても利用できる。
【０２５６】
以上の各例では、間接気化冷却ユニット４と、給気ファン２と排気ファン３、熱交換ユニット３１または除湿ユニット３３は同一筐体内に無くても良く、ファンは他の機器と兼用しても良い。
【０２５７】
＜第５の実施の形態の換気装置１Ｊの構成＞
図１８は第５の実施の形態の換気装置１Ｊの一例を示す構成図である。第５の実施の形態の換気装置１Ｊは、独立した排気ファン３Ａとの組み合わせで使用される換気装置で、給気ファン２と除湿ユニット３３と間接気化冷却ユニット４を備える。
【０２５８】
換気装置１Ｊは、外気吸込口５から給気ファン２、除湿ユニット３３の除湿流路３５ａ及び間接気化エレメント１１のプロダクトエア流路１１ｂを通り、給気吹出口６へ連通する給気流路９Ｊを備える。
【０２５９】
また、換気装置１Ｊは、除湿ユニット３３より下流側で給気流路９Ｊと分岐し、間接気化エレメント１１のワーキングエア流路１１ａを通り、排気吹出口８へ連通する第２の排気流路１０Ｎと、除湿ユニット３３より上流側で給気流路９Ｊと分岐し、除湿ユニット３３の再生流路３５ｂを通り、排気吹出口８へ連通した第１の排気流路１０Ｐを備える。
【０２６０】
＜第５の実施の形態の換気装置１Ｊの動作＞
次に、図１８等を参照に第５の実施の形態の換気装置１Ｊの動作について説明する。先ず冷房動作から説明すると、換気装置１Ｊは、給気ファン２が駆動されると、給気流路９Ｊにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２６１】
また、給気ファン２が駆動されると、第２の排気流路１０Ｎ及び第１の排気流路１０Ｐにおいて排気吹出口８へ向かうエアの流れが生成される。これにより、第２の排気流路１０Ｎによって外気ＯＡの一部が間接気化エレメント１１のワーキングエア流路１１ａを通り、排気吹出口８から排気ＥＡとして屋外に排出される。また、第１の排気流路１０Ｐによって、外気ＯＡの一部が除湿ユニット３３の再生流路３５ｂを通り、排気吹出口８から排気ＥＡとして屋外に排出される。
【０２６２】
従って、換気装置１Ｊでは、外気ＯＡがプロダクトエアＰＡ及びワーキングエアＷＡとなる。
【０２６３】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２６４】
よって、間接気化エレメント１１のプロダクトエア流路１１ｂを通過した外気ＯＡを、給気吹出口６から給気ＳＡとして吹き出すことで、室内の温度を下げることができる。
【０２６５】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図７で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２６６】
なお、独立した排気ファン３Ａの還気ＲＡの換気量は、換気装置１Ｊの給気量に合わせて制御される。
【０２６７】
図１９は第５の実施の形態の換気装置１Ｊの暖房動作時のエアの流れを示す概略構成図で、次に、暖房動作について説明する。まず、換気装置１Ｊは、除湿ユニット３３の上流で給気流路９Ｊと分岐し、間接気化エレメント１１のワーキングエア流路１１ａ及び除湿ユニット３３の除湿流路３５ａを通り、排気吹出口８と連通した加湿排気流路１０Ｑを備える。
【０２６８】
給気流路９Ｊと加湿排気流路１０Ｑの分岐位置には、エアを通す方向を切り換える図示しない切換ダンパを備え、暖房運転時は、外気ＯＡの流路を給気流路９Ｊから加湿排気流路１０Ｑへ切り換える。
【０２６９】
また、換気装置１Ｊは、第２の排気流路１０Ｎから分岐して、給気流路９Ｊと連通した加湿給気流路９Ｋを備える。第２の排気流路１０Ｎと加湿給気流路９Ｋの分岐位置及び第２の排気流路１０Ｎと第１の排気流路１０Ｐの分岐位置には、エアを通す方向を切り換える図示しない切換ダンパを備え、暖房運転時は、除湿ユニット３３の再生流路３５ｂを通るエアの流路を、加湿給気流路９Ｋへ切り換える。
【０２７０】
更に、暖房運転時は、給排水装置１２の給水バルブ１２ａを開け、間接気化エレメント１１への給水を行う。
【０２７１】
給気ファン２が駆動されると、加湿排気流路１０Ｑにおいて排気吹出口８へ向かうエアの流れが生成される。これにより、外気ＯＡが外気吸込口５から吸い込まれ、間接気化エレメント１１のワーキングエア流路１１ａ及び除湿ユニット３３の除湿流路３５ａを通り、排気吹出口８から排気ＥＡとして排気される。
【０２７２】
間接気化冷却ユニット４のワーキングエア流路１１ａを通った外気ＯＡは、間接気化エレメント１１に給水が行われていることで加湿される。そして、除湿ユニット３３の除湿流路３５ａを通ることで、除湿ロータ３６に水分が吸着される。
【０２７３】
また、給気ファン２が駆動されると、加湿給気流路９Ｋにおいて給気吹出口６へ向かうエアの流れが生成される。これにより、外気ＯＡが外気吸込口５から吸い込まれ、除湿ユニット３３の再生流路３５ｂを通り、給気吹出口６から給気ＳＡとして室内に供給される。
【０２７４】
除湿ユニット３３では、間接気化冷却ユニット４のワーキング流路１１ａで加湿された外気ＯＡが除湿流路３５ａにおいて除湿されることで、除湿ロータ３６に水分が吸着する。そして、除湿ロータ３６が回転して水分を吸着した部分が再生流路３５ｂ側に移動することで、ヒータ３７で加温された外気ＯＡが除湿ロータ３６を通過して、除湿ロータ３６の水分を蒸発させる。これにより、除湿ユニット３３の再生流路３５ｂを通過した外気ＯＡは加温及び加湿される。これにより、給気吹出口６から加湿及び加温された外気ＯＡが給気ＳＡとして給気される。
【０２７５】
なお、暖房運転時も、独立した排気ファン３Ａの還気ＲＡの換気量は、換気装置１Ｊの給気量に合わせて制御される。
【０２７６】
＜換気装置の設置例＞
図２０は本実施の形態の建物の一例を示す構成図で、換気装置１の設置例を示す。図８等で説明した換気装置１は、建物１０１の天井裏等に設置される。建物１０１は複数の居室１０２とトイレ１０３、洗面所１０４ａ、浴室１０４ｂ等を備え、換気装置１の図１等に示す給気吹出口６は、各居室１０２の天井等に設置した給気口１０５にダクト１０６を介して接続される。
【０２７７】
なお、図８等では、給気吹出口６を１個備えた構成であるが、複数の居室１０２に給気ＳＡを供給するためには、ダクト１０６の途中に分岐チャンバー１０６ａを設置し、１本のダクト１０６を複数本のダクト１０６に分岐できるようにすれば良い。
【０２７８】
また、換気装置１に複数の給気吹出口６を備えても良いし、複数の給気吹出口６を備えた換気装置１と分岐チャンバー１０６ａを組み合わせても良い。
【０２７９】
換気装置１の図８等に示す還気吸込口８は、例えばトイレ１０３の天井等に設置した吸込口１０７にダクト１０７ａ等を介して接続される。居室１０５内に給気した空気は、ドアのアンダーカット部、ガラリ部等を通して吸込口１０７に集められ、還気吸込口８から吸い込んだ還気ＲＡは、図８等で説明したようにワーキングエアＷＡ等として利用して排気するので、居室には戻らない。これにより、臭気を排気できる。吸込口１０７は、図８のような換気装置１の本体下面に設けた還気吸込口７でも良く、更に、還気吸込口７を複数設けても良い、また、給気口１０５を設けた居室１０２内にそれぞれ吸込口１０７を設けても良い。
【０２８０】
換気装置１の図８等に示す外気吸込口５は、ベランダ１０８等の壁面に備えた吸込口１０９にダクト１０９ａを介して接続される。また、排気吹出口８は、ベランダ１０８等の壁面に備えた排気口１１０にダクト１１０ａを介して接続される。これにより、換気装置１は外気ＯＡを屋外から取り込むと共に、トイレ１０３等からの還気ＲＡを屋外へ排気ＥＡとして排気できる。
【０２８１】
換気装置１は、図８等に示すように、間接気化冷却ユニット４に給排水装置１２とドレンパン１３を備える。間接気化冷却ユニット４では、上述したように、水の気化熱でワーキングエアＷＡを冷却するため、給排水装置１２により水が供給され、消費されない水はドレンパン１３に貯水される。そして、ドレンパン１３と、ベランダ１０８等に設置したドレン排水口１１１がホース１１１ａで接続され、ドレンパン１３の水を給排水装置１２等で装置外へ排水できるようになっている。
【産業上の利用可能性】
【０２８２】
本発明は、一般住宅に設置され、複数の部屋の換気及び空調を行う換気装置に適用される。
【図面の簡単な説明】
【０２８３】
【図１】間接気化冷却ユニットを備えた換気装置１Ａの一例を示す構成図である。
【図２】間接気化エレメント１１の概要を示す説明図である。
【図３】ワーキングエアＷＡの流量とプロダクトエアＰＡの出口温度の関係を示すグラフである。
【図４】プロダクトエアＰＡの流量とプロダクトエアＰＡの出口温度の関係を示すグラフである。
【図５】ワーキングエアＷＡ及びプロダクトエアＰＡの入口温度とプロダクトエアＰＡの出口温度の関係を示すグラフである。
【図６】ワーキングエアＷＡ及びプロダクトエアＰＡの入口温度と水の消費量の関係を示すグラフである。
【図７】ワーキングエアＷＡ及びプロダクトエアＰＡの入口湿度とプロダクトエアＰＡの出口温度の関係を示すグラフである。
【図８】第１の実施の形態の換気装置１Ｄの一例を示す構成図である。実施の形態の換気装置１Ａの変形例を示す概略構成図である。
【図９】第１の実施の形態の換気装置１Ｄの暖房動作時のエアの流れを示す概略構成図である。
【図１０】第２の実施の形態の換気装置１Ｅの一例を示す構成図である。
【図１１】第２の実施の形態の換気装置１Ｅの暖房動作時のエアの流れを示す概略構成図である。
【図１２】第３の実施の形態の換気装置１Ｇの一例を示す構成図である。
【図１３】第３の実施の形態の換気装置１Ｇの暖房動作時のエアの流れを示す概略構成図である。
【図１４】第３の実施の形態の換気装置１Ｇの変形例を示す概略構成図である。
【図１５】第３の実施の形態の変形例の換気装置１Ｇ−１の暖房動作時のエアの流れを示す概略構成図である。
【図１６】第４の実施の形態の換気装置１Ｈの一例を示す構成図である。
【図１７】第４の実施の形態の換気装置１Ｈの暖房動作時のエアの流れを示す概略構成図である。
【図１８】第５の実施の形態の換気装置１Ｊの一例を示す構成図である。
【図１９】第５の実施の形態の換気装置１Ｊの暖房動作時のエアの流れを示す概略構成図である。
【図２０】本実施の形態の建物の一例を示す構成図である。
【符号の説明】
【０２８４】
１・・・換気装置、２・・・給気ファン、３・・・排気ファン、４・・・間接気化冷却ユニット、５・・・外気吸込口、６・・・給気吹出口、７・・・還気吸込口、８・・・・排気吹出口、９・・・給気流路、１０・・・排気流路、１１・・・間接気化エレメント、１１ａ・・・ワーキングエア流路、１１ｂ・・・プロダクトエア流路、１２・・・給排水装置、１２ａ・・・給水バルブ、１２ｂ・・・排水バルブ、１３・・・ドレンパン、１４・・・給気流量調整ダンパ、１５・・・排気流量調整ダンパ、１６・・・空気清浄フィルタ、１７・・・温度センサ、１８・・・給気流量調整ダンパ、１９・・・給気流量調整ダンパ、２１・・・ドライセル、２１ａ・・・仕切り、２１ｂ・・・第１の流路、２２・・・ウェットセル、２２ａ・・・仕切り、２２ｂ・・・第２の流路、２３・・・隔壁、２３ａ・・・防湿フィルム、２３ｂ・・・湿潤層、２３ｃ・・・通気口、２４・・・閉塞部、３１・・・熱交換ユニット、３２・・・熱交換エレメント、３２ａ・・・第１の流路、３２ｂ・・・第２の流路、３３・・・除湿ユニット、３４・・・隔壁、３５ａ・・・除湿流路、３５ｂ・・・再生流路、３６・・・除湿ロータ、３７・・・ヒータ
【図１】
2006105426.tif 000005
【図２】
2006105426.tif 000006
【図３】
2006105426.tif 000007
【図４】
2006105426.tif 000008
【図５】
2006105426.tif 000009
【図６】
2006105426.tif 000010
【図７】
2006105426.tif 000011
【図８】
2006105426.tif 000012
【図９】
2006105426.tif 000013
【図１０】
2006105426.tif 000014
【図１１】
2006105426.tif 000015
【図１２】
2006105426.tif 000016
【図１３】
2006105426.tif 000017
【図１４】
2006105426.tif 000018
【図１５】
2006105426.tif 000019
【図１６】
2006105426.tif 000020
【図１７】
2006105426.tif 000021
【図１８】
2006105426.tif 000022
【図１９】
2006105426.tif 000023
【図２０】
2006105426.tif 000024